(57)【要約】    【課題】  ローラ構造モジュールを安定的に回路基板に固定させて、その端子に外力による変形がない、ローラ構造モジュールの固定具を提供する。    【解決手段】  両側の適当なところに設置され、それぞれ凹溝があり、回転機構が可動的に接合されるベースと、ベースを収納するための収納溝が設けられるフレームと、があり、当該収納溝の側壁には、上記凹溝に対応して、嵌入する突出部が設けられる、ローラ構造モジュールの固定具。 【選択図】  図２
0003107687.tif 000002
【実用新案登録請求の範囲】
【請求項１】
可動的に接合される回転機構があり、両側の適当なところにそれぞれ凹溝が設置されるベースと、
上記ベースを収納する収納溝が設けられ、また、当該収納溝の側壁には、上記凹溝内に嵌入できる突出部が設けられるフレームと、があることを特徴とする、ローラ構造モジュールの固定具。
【請求項２】
当該ベースの凹溝は、縦長い凹溝であることを特徴とする、請求項１記載のローラ構造モジュールの固定具。
【請求項３】
当該回転機構には、絶縁スリーブと、当該絶縁スリーブが嵌着される支持機構と、それぞれ当該絶縁スリーブ内縁の両端から挿入される多数の端子と、があることを特徴とする、請求項１記載のローラ構造モジュールの固定具。
【請求項４】
当該フレームは、透明や半透明な材質で製造されるものであることを特徴とする、請求項１記載のローラ構造モジュールの固定具。
【請求項５】
当該フレームは、金属薄板で、プレスにより湾曲されて形成されることを特徴とする、請求項１記載のローラ構造モジュールの固定具。
【請求項６】
当該フレームの一面には、回路基板に貫設される少なくとも一つの位置付けピンが設けられることを特徴とする、請求項１記載のローラ構造モジュールの固定具。
【請求項７】
当該位置付けピンが、非対称であることにより、フールプルーフという作用が得られることを特徴とする、請求項６記載のローラ構造モジュールの固定具。
【請求項８】
当該位置付けピンは、ボードロックであることを特徴とする、請求項６記載のローラ構造モジュールの固定具。
【考案の詳細な説明】
【技術分野】
【０００１】
本考案は、ローラ構造モジュールの固定具に関し、特に、ローラ構造モジュールを安定的に回路基板に固定させて、その端子に、外力による変形がないものに関する。
【背景技術】
【０００２】
一般の、従来のローラ５（図５参照）では、回転機構５１が座体５０上に設置され、そして、当該ローラ５を電子装置のケース６の所定位置に設置して、また、上蓋５２で当該ローラ５を押さえることにより、当該ローラ５を電子装置の所定位置に設置し、また、当該ローラ５を組み合わせる時、当該座体５０を特定の回路基板上に固設して、そして、端子が、当接(ハンダ付け固定せず)により、回路基板に、電気的に接続されることにより、信号は、端子により、銅環(エンコーダー)を介して、回路基板に伝送される。
【０００３】
上記のローラ５は、前後回転動作、左右遥動動作、及び押し動作の三つの動作が可能である、動作軸を有する結構であり、当該ローラ５は、当接により回路基板と接触するため、組み合わせる時、ローラ５は、位置付けが容易ではなく、端子が変形しやすいだけでなく、設計上に、上蓋５２がローラ５に合わせる必要があるから、工程は複雑になる。
【考案の開示】
【考案が解決しようとする課題】
【０００４】
本考案の目的は、ローラが位置付けし難く、端子が変形しやすいこと、及び設計上に上蓋がローラに合わせる必要がある問題を改善し、工程の複雑性を低減することにある。
【課題を解決するための手段】
【０００５】
本考案は、可動的に接合される回転機構があり、両側の適当なところにそれぞれ凹溝が設置されるベースと、上記ベースを収納する収納溝が設けられ、また、当該収納溝の側壁には、上記凹溝内に嵌入できる突出部が設けられるフレームと、があることを特徴とする、ローラ構造モジュールの固定具である。
【考案の効果】
【０００６】
本考案のローラ構造モジュールの固定具は、ローラ構造モジュールを安定的に回路基板に固定させて、その端子に、外力による変形がない利点を有する。
【考案を実施するための最良の形態】
【０００７】
図１〜図３は、本考案に係わる多数の実施例の一つであり、本考案は、ユーザーと、電子装置に内蔵される電子系統とのコミュニケーションインターフェースとされるローラ構造モジュールの固定具である。
【０００８】
当該実施例においては、前後回転動作、左右遥動動作、及び押し動作の三つの動作が可能であるローラ構造モジュールがあり、当該ローラ構造モジュールの固定具は、ベース１及びフレーム２からなり、当該ローラ構造モジュールを安定的に回路基板上に固定して、その端子に、外力による変形することが避けられ、また、本考案の固定具は、フレームとローラ機構とを、一つの部品にするため、全体の組み合わせは、一層に容易になる。
【０００９】
本考案のベース１には、可動的に接合される回転機構１１があり、当該回転機構１１には、絶縁スリーブ１２と、当該絶縁スリーブ１２が嵌着される支持機構１３と、それぞれ絶縁スリーブ１２内縁の両端から挿入される多数の端子１４と、があり、当該ベース１の両側の適当なところに、それぞれ凹溝１５が設置され、ベース１の凹溝１５は、移動空間が形成できる縦長い凹溝である。
【００１０】
本実施例において、当該フレーム２には、上記ベース１を収納するための収納溝２１が設けられ、また、当該収納溝２１の側壁には、上記ベース１の凹溝１５内に嵌入できる突出部２２が設けられ、これにより、当該ベース１がフレーム２の収納溝２１に収納される時、当該凹溝１５と突出部２２との嵌合により、両者の相対位置が制限され、また、本考案においての実施例は、押し動作を含む、三つの動作が可能であるローラ構造モジュールであるため、当該フレーム２の突出部２２は、当該ベース１の縦長い凹溝１５から形成される移動空間により、相対的に移動でき、また、当該フレーム２は、透明や半透明な材質で製造されるものでもよい。
【００１１】
また、本考案に係わる実施例は、前後回転動作、左右遥動動作、及び押し動作の三つの動作が可能である、ローラ構造モジュールであるため、図のように、ベース１とフレーム２とは、一対の凹溝１５と突出部２２とだけにより、接合され、この技術を熟知するものであれば、これに従って、凹溝１５と突出部２２との数が増やせる、左右遥動動作がない動作軸を有するローラ構造モジュールと、他の実質的に同一な実施例とが、構想できる。以上のように、上記の結構により、新規なローラ構造モジュールの固定具を構成できる。
【００１２】
組み合わせる時、本実施例において、当該フレーム２を電子装置（図示せず）の所定の位置に固設することにより、当該フレーム２と電子装置の回路基板４４とは、よりよい位置付けが得られるため、当該フレーム２の一面には、回路基板４４に貫設される少なくとも一つの位置付けピン２３が設けられ、当該位置付けピン２３は、ボードロック（Board Lock）であり、また、当該位置付けピン２３が、非対称であることにより、フールプルーフという作用が得られ、これにより、組み合わせ位置付けする時の便利性や正確性が得られ、また、当該電子装置は、PDAや携帯電話或いはSmart
Phone等の移動通信ネットワーク設備（図示せず）であり、当該回転機構１１が、ベース１とフレーム２に組み合わせられた後、より正確的にかつより容易に回路基板に固定される。全体を組み合わせた後、図３のように、当該ベース１の端子１４は、上記設備の予設回路の接点と、電気的に接続され、図３において、回転機構１１は、押される前の状態である。
【００１３】
本考案において、回転機構１１を回転する時、端子１４で、当該回転機構１１の前後回転動作、左右遥動動作、及び押し動作を検知し、また、回転機構１１が正回転や逆回転の前後回転の検知は、当該絶縁スリーブ１２の回転により行い、また、左右遥動動作と押し動作を行う時、必要に応じて、直接に回転機構１１の絶縁スリーブ１２を押して、当該ベース１に、両側が縦長い凹溝１５から形成される移動空間により、フレーム２の突出部２２は、当該移動空間内において、上下移動でき、また、押す時、当該端子１４と薄膜スイッチ４５( matel
dome / switch )とに押し力が印可されることにより、当該回転機構１１が下へ移動し、また、押した後、当該端子１４と薄膜スイッチ４５との回復力により、元の押さない状態に回復し、これにより、ベース１は、左右遥動動作や押し動作を行う。
【００１４】
図４は、本考案の他の実施例であり、当該フレーム４は、金属薄板で、プレスにより、湾曲されて形成され、当該ベース３上には、可動的に、回転機構３１が接合され、また、当該ベース３の両側の適当なところには、それぞれ凹溝３２が設置され、当該フレーム４には、上記ベース３を収納するための収納溝４１が設けられ、また、当該収納溝４１の側壁には、上記凹溝３２に対応して、嵌入する凹円弧面の突出部４２が設置され、また、当該フレーム４の両側のもう一端縁には、多数の位置付けピン４３が設置され、当該位置付けピン４３は、ボードロック（Board Lock）であり、また、当該位置付けピン４３が、非対称であることにより、フールプルーフという作用が得られ、これにより、組み合わせ位置付けする時の便利性や正確性が得られる。
【００１５】
以上の説明は、ただ、本考案のよりよい実施例であり、本考案の実施範囲を制限するものではなく、また、本考案の実用新案登録請求の範囲や明細書内容に従って等価修正や変更も、本考案の請求範囲に含まれている。
【図面の簡単な説明】
【００１６】
【図１】本考案の立体外観の概念図である。
【図２】本考案の立体分解の概念図である。
【図３】本考案の断面状態の概念図である。
【図４】本考案の他の実施例の立体分解の概念図である。
【図５】従来のローラの概念図である。
【符号の説明】
【００１７】
（本考案部分）：
１、３           ベース
１１、３１       回転機構
１２             絶縁スリーブ
１３             支持機構
１４             端子
１５、３２       凹溝
２、４           フレーム
２１、４１       収納溝
２２、４２       突出部
２３、４３       位置付けピン
４４             回路基板
４５             薄膜スイッチ
（従来部分）：
５               ローラ
５０             座体
５１             回転機構
５２             上蓋
６               ケース
【図１】
0003107687.tif 000003
【図２】
0003107687.tif 000004
【図３】
0003107687.tif 000005
【図４】
0003107687.tif 000006
【図５】
0003107687.tif 000007